(57)【要約】【課題】  腰部に対して十分な施療を行うことのできる椅子式施療装置を提供する。【解決手段】  座部と、座部の後部に取り付けられた背凭れとを備え、座部には、腿をマッサージする腿用エアバッグ、および尻をマッサージする尻用エアバッグのうち、少なくとも尻用エアバッグが設けられ、背凭れには、少なくとも腰用エアバッグが設けられた椅子式施療装置であって、利用者の腰を施療する際に、時刻ｔ１において、尻用エアバッグを膨らませて利用者の腰の高さ位置を調整してから、時刻ｔ３において、腰用エアバッグを作動させる。【選択図】        図３
2005198810.tif 000002
【特許請求の範囲】
【請求項１】
座部と、該座部の後部に取り付けられた背凭れとを備え、
前記座部には、腿をマッサージする腿用エアバッグ、および尻をマッサージする尻用エアバッグのうち、少なくとも尻用エアバッグが設けられ、
前記背凭れには、少なくとも腰用施療子が設けられた椅子式施療装置であって、
利用者の腰を施療する際に、前記尻用エアバッグを膨らませて前記利用者の腰の高さ位置を調整してから、前記腰用施療子を作動させる制御手段を設けたことを特徴とする椅子式施療装置。
【請求項２】
座部と、該座部の後部に取り付けられた背凭れとを備え、
前記座部には、腿をマッサージする腿用エアバッグ、および尻をマッサージする尻用エアバッグのうち、少なくとも尻用エアバッグが設けられ、
前記背凭れには、少なくとも腰用施療子が設けられた椅子式施療装置であって、
利用者の腰を施療する際に、前記尻用エアバッグを膨らませて前記利用者の腰の高さ位置を徐々に高くしながら、前記腰用施療子を作動させる制御手段を設けたことを特徴とする椅子式施療装置。
【発明の詳細な説明】
【技術分野】
【０００１】
本発明は椅子式施療装置に係り、特に利用者の腰を施療するのに好適な椅子式施療装置に関する。
【背景技術】
【０００２】
椅子式施療装置は、座部と、この座部の後部にリクライニング可能に取り付けられた背凭れとを備え、利用者は、この椅子式施療装置に腰掛けた状態で施療行為を受けることができる。このような椅子式施療装置において、座部には、腿をマッサージする腿用エアバッグ、および尻をマッサージする尻用エアバッグが設けられ、また背凭れには、首・肩をマッサージする首・肩用エアバッグ、背中をマッサージする背中用エアバッグ、および腰をマッサージする腰用エアバッグが設けられ、これら各エアバッグを膨縮させて利用者の各部位に対してマッサージを行うようになっている（例えば、特許文献１参照）。
【特許文献１】特開２０００−８４０２０号公報
【発明の開示】
【発明が解決しようとする課題】
【０００３】
しかしながら、上記従来の技術では、腰用エアバッグは背凭れに固定され、上下方向に高さ位置を調整することができない構成であるため、例えば体格の小さな利用者が座った場合、その利用者の腰の位置と腰用エアバッグの位置とが一致せず、利用者は腰とは異なる部位（例えば、腰よりも上部の背中側）をマッサージされることになり、意図する部位に十分なマッサージを受けることができない。
【０００４】
本発明の課題は、腰部に対してマッサージによる十分な施療を行うことのできる椅子式施療装置を提供することにある。
【課題を解決するための手段】
【０００５】
上記課題を解決するために、本発明では、尻用エアバッグを膨らませて利用者の腰の高さ位置を調整できるようにした。例えば、本発明は、座部と、該座部の後部に取り付けられた背凭れとを備え、前記座部には、腿をマッサージする腿用エアバッグ、および尻をマッサージする尻用エアバッグのうち、少なくとも尻用エアバッグが設けられ、前記背凭れには、少なくとも腰用施療子が設けられた椅子式施療装置であって、利用者の腰を施療する際に、前記尻用エアバッグを膨らませて前記利用者の腰の高さ位置を調整してから、前記腰用施療子を作動させる制御手段を設けたことを特徴としている。
【０００６】
上記構成によれば、体格の小さな利用者が座った場合に、尻用エアバッグに空気を供給して尻用エアバッグを膨らますと、利用者は尻部が持ち上げられ、これにより、利用者の腰の位置は高くなる。その結果、利用者の腰の位置と腰用施療子の位置とが一致して、利用者が意図する部位に十分なマッサージを行うことができる。
【発明の効果】
【０００７】
本発明によれば、利用者の腰の高さ位置を調整できるので、腰部に対して十分な施療を行うことができる。
【発明を実施するための最良の形態】
【０００８】
以下、本発明の実施例を図面に従って説明する。
【実施例１】
【０００９】
図１は、実施例１による椅子式施療装置１の外観を示した斜視図である。この椅子式マッサージ装置１は、肘掛け兼用の脚２、脚２に支持された座部３、座部３の後部にリクライニング可能に装着された背凭れ４、および座部３の前側下部に装着された足載せ台５を備えている。
【００１０】
背凭れ４の上部には、首・肩用施療子として、首・肩用エアバッグ６Ｒ，６Ｌ（Ｒは右側の部品を、Ｌは左側の部品をそれぞれ示す。以下同じ。）と、揉み球７Ｒ，７Ｌとが設けられている。エアバッグ６Ｒ，６Ｌは空気が給排気されて膨縮動作を繰り返し、揉み球７Ｒ，７Ｌはエアバッグ６Ｒ，６Ｌの膨縮動作に伴って、利用者の首・肩に対するマッサージを行う。
【００１１】
背凭れ４の高さ方向中央には、背中用施療子として背中用エアバッグ８Ｒ，８Ｌが設けられている。これらエアバッグ８Ｒ，８Ｌは空気が給排気されて膨縮動作を繰り返し、利用者の背中に対するマッサージを行う。
【００１２】
背凭れ４の下部には、腰用施療子として腰用エアバッグ９Ｒ，９Ｌが設けられている。これらエアバッグ９Ｒ，９Ｌも空気が給排気されて膨縮動作を繰り返し、利用者の腰に対するマッサージを行う。
【００１３】
また、座部３には、背凭れ４に近い側に尻用エアバッグ１０が、背凭れ４から遠い側に腿用エアバッグ１１がそれぞれ設けられ、尻用エアバッグ１０は利用者の尻に対するマッサージを行い、腿用エアバッグ１１は利用者の腿に対するマッサージを行う。
【００１４】
さらに、足載せ台５の前側には左右に脚配設溝５Ｒ，５Ｌが形成され、このうち脚配設溝５Ｒの両側には脚用エアバッグ１２Ｒ，１２Ｒが、また脚配設溝５Ｌの両側には脚用エアバッグ１２Ｌ，１２Ｌがそれぞれ対向配置されている。
【００１５】
なお、図１において、符号１３は、希望するマッサージを利用者が設定入力するためのリモコンである。
【００１６】
図２は、上記各エアバッグの動作を制御するための制御系統図である。
【００１７】
首・肩用エアバッグ６Ｒ，６Ｌには空気ホース１４が、背中用エアバッグ８Ｒ，８Ｌには空気ホース１５が、腰用エアバッグ９Ｒ，９Ｌには空気ホース１６がそれぞれ接続されている。空気ホース１４，１５，１６は１つに合流して空気ホース１７の一端に結合され、この空気ホース１７の他端は上半身ポンプ１８の吐出側に接続されている。
【００１８】
尻用エアバッグ１０には空気ホース１９が、腿用エアバッグ１１には空気ホース２０が、脚用エアバッグ１２Ｒ，１２Ｌには空気ホース２１がそれぞれ接続されている。空気ホース１９，２０，２１は１つに合流して空気ホース２２の一端に結合され、この空気ホース２２の他端は下半身ポンプ２３の吐出側に接続されている。
【００１９】
空気ホース１４，１５，１６の途中には電磁弁（分配弁）２４，２５，２６がそれぞれ設けられ、また空気ホース１９，２０，２１の途中には電磁弁（分配弁）２７，２８，２９がそれぞれ設けられている。なお、電磁弁２４，２５，２６および電磁弁２７，２８，２９は三方弁で構成されている。
【００２０】
また、制御手段として制御回路３０が設けられ、この制御回路３０は、上半身ポンプ１８、下半身ポンプ２３、電磁弁２４，２５，２６、および電磁弁２７，２８，２９にそれぞれ電気的に接続されている。また、制御回路３０にはリモコン１３も電気的に接続されている。なお、制御回路３０はマイコンで構成され、座部３（図１参照）の下側に配置されている。
【００２１】
次に、上記構成の椅子式施療装置１の作用について説明する。
【００２２】
利用者が椅子式施療装置１に腰掛けて、利用者の腰の高さが腰用エアバッグ９Ｒ，９Ｌの位置に一致すれば問題はなく、利用者はリモコン１３を操作して腰用エアバッグ９Ｒ，９Ｌを作動させることにより、腰に対するマッサージを受けることができる。
【００２３】
しかし、体格の小さな利用者が座った場合は、利用者の腰の位置と腰用エアバッグ９Ｒ，９Ｌの位置とが一致しないため、利用者は腰に対する十分なマッサージを受けることができない。
【００２４】
このようなとき、利用者はリモコン１３を操作して高さ位置調整モードに設定する。高さ位置調整モードが設定されると、制御回路３０は、図３に示すように、例えば時刻ｔ１において、下半身ポンプ２３を作動させるとともに電磁弁２７を制御して、下半身ポンプ２３で圧縮された空気を尻用エアバッグ１０に流入させる。これにより、尻用エアバッグ１０を膨らませて、利用者は腰用エアバッグ９Ｒ，９Ｌに対して腰の位置を調整する。
【００２５】
そして時刻ｔ１から所定時間経過して時刻ｔ２になったとき、制御回路３０は、電磁弁２７を制御し電磁弁２７を閉にして、尻用エアバッグ１０の膨らんだ状態を保持するとともに、下半身ポンプ２３の作動を停止させる。
【００２６】
その後、制御回路３０は、時刻ｔ３において、上半身ポンプ１８を作動させるとともに、電磁弁２６を制御して、上半身ポンプ１８で圧縮された空気を腰用エアバッグ９Ｒ，９Ｌに流入させて腰用エアバッグ９Ｒ，９Ｌを膨らます。
【００２７】
次に、制御回路３０は、時刻ｔ４において、電磁弁２６を制御して電磁弁２６を閉にし、腰用エアバッグ９Ｒ，９Ｌの膨らんだ状態を保持するとともに、上半身ポンプ１８の作動を停止させる。さらに、時刻ｔ５において、電磁弁２６を制御して腰用エアバッグ９Ｒ，９Ｌ内の圧縮空気を外部に排気させ、腰用エアバッグ９Ｒ，９Ｌを縮ませる。
【００２８】
そして、上記時刻ｔ３〜ｔ５の動作を繰り返すことにより、利用者の腰に対するマッサージを行う。
【００２９】
腰に対するマッサージを停止させるときは、利用者がリモコン１３に対して停止の操作を行うことにより、腰に対するマッサージが終了し、制御回路３０は、時刻ｔ６において、電磁弁２７を制御し尻用エアバッグ１０内の圧縮空気を外部に排気させ、尻用エアバッグ１０を縮ませる。
【００３０】
本実施例によれば、利用者の腰の位置と腰用エアバッグ９Ｒ，９Ｌの位置とを一致させることができ、利用者は腰に対する十分なマッサージを受けることができる。
【００３１】
図４は本実施例の変形例である。この変形例では、尻用エアバッグ１０と共に腿用エアバッグ１１を膨縮させるようにしている。すなわち、腿用エアバッグ１１を、尻用エアバッグ１０と同様に、時刻ｔ１において膨らませ、時刻ｔ６において縮ませている。腰用エアバッグ９Ｒ，９Ｌ、上半身ポンプ１８、および下半身ポンプ２３に対する制御は図３の場合と同様である。
【００３２】
この変形例によれば、尻用エアバッグ１０と共に腿用エアバッグ１１を膨らませるようにしているので、腰用エアバッグ９Ｒ，９Ｌに対して利用者をより確実に持ち上げることができる。
【実施例２】
【００３３】
図５は実施例２を示している。本実施例では、尻用エアバッグ１０を徐々に膨らますようにしている。実施例１では、電磁弁２７を開にしたとき、下半身ポンプ２３からの圧縮空気を尻用エアバッグ１０に一気に流入させていたが、本実施例では、時刻ｔ１において電磁弁２７を開にしたときに、下半身ポンプ２３からの圧縮空気が尻用エアバッグ１０に徐々に流入するように電磁弁２７の開度を制御する。そして、尻用エアバッグ１０に圧縮空気が徐々に流入しているときに、腰用エアバッグ９Ｒ，９Ｌを作動させる。また、下半身ポンプ２３は時刻ｔ５’まで作動させ、時刻ｔ５’において、電磁弁２７を制御して尻用エアバッグ１０の膨らんだ状態を保持する。
【００３４】
本実施例によれば、利用者は徐々に持ち上げられている最中に、腰用エアバッグ９Ｒ，９Ｌによって腰がまんべんなくマッサージされることになり、腰部近傍に対する充分なマッサージを受けることができる。
【００３５】
また、利用者は、所定量持ち上げられた後（つまり時刻ｔ５’から時刻ｔ６の間）、実施例１の場合と同様なマッサージを受けることができる。
【００３６】
図６は本実施例の変形例である。この変形例では、図５の場合と同様、尻用エアバッグ１０と共に腿用エアバッグ１１を徐々に膨張させるようにしている。腰用エアバッグ９Ｒ，９Ｌ、上半身ポンプ１８、および下半身ポンプ２３に対する制御は図４と同様である。
【図面の簡単な説明】
【００３７】
【図１】本発明に係る椅子式施療装置の外観斜視図である。
【図２】エアバッグの動作を制御するための制御系統図である。
【図３】実施例１による椅子式施療装置のタイミング動作を示した図である。
【図４】実施例１の変形例による椅子式施療装置のタイミング動作を示した図である。
【図５】実施例２による椅子式施療装置のタイミング動作を示した図である。
【図６】実施例２の変形例による椅子式施療装置のタイミング動作を示した図である。
【符号の説明】
【００３８】
１  椅子式施療装置
３  座部
４  背凭れ
５  足載せ台
６Ｌ，６Ｒ  首・肩用エアバッグ
７Ｌ，７Ｒ  揉み球
８Ｌ，８Ｒ  背中用エアバッグ
９Ｌ，９Ｒ  腰用エアバッグ（腰用施療子）
１０  尻用エアバッグ
１１  腿用エアバッグ
１２Ｌ，１２Ｒ  脚用エアバッグ
１８  上半身ポンプ
２３  下半身ポンプ
２４〜２９  電磁弁
３０  制御回路（制御手段）
【図１】
2005198810.tif 000003
【図２】
2005198810.tif 000004
【図３】
2005198810.tif 000005
【図４】
2005198810.tif 000006
【図５】
2005198810.tif 000007
【図６】
2005198810.tif 000008